(57)【要約】本発明は、バーナーヘッド（１１４）、液体燃料を貯蔵する液体燃料貯蔵部（１１６）、及び液体燃料を貯蔵部（１１６）からバーナーヘッド（１１４）に送るポンプ（１１８）を有する液体燃料燃焼装置（１１０）を提供する。ポンプ（１１８）は、シリンダ（１４０）、シリンダ（１４０）に対して移動可能なピストン（１４２）を有する。したがって、ピストンとシリンダが第１の方向に相対移動すると、液体燃料がシリンダ（１４０）に送られ、ピストンとシリンダが逆の第２の方向に相対移動すると、液体燃料がシリンダ（１４０）から送り出される。ポンプ（１１８）はまた、貯蔵部（１１６）からシリンダ（１４０）に液体燃料を送り込むことを許可する入口バルブ（１４４）と、シリンダ（１４０）からバーナーヘッド（１１４）に液体燃料を送り出すことを許可する出口バルブ（１４６）と、自重によってシリンダ（１４０）に対するピストン（１４２）の移動を生じさせるために十分な力を加え、それにより液体燃料をシリンダ（１４０）からバーナーヘッド（１１４）に送る移動可能な質量を有する。
2008519240.tif 000002
【特許請求の範囲】
【請求項１】
バーナーヘッドと、
液体燃料を貯蔵する液体燃料貯蔵部と、
上記貯蔵部から上記液体燃料を上記バーナーヘッドに送るポンプを有し、
上記ポンプが、
シリンダと、
上記シリンダに対して移動可能なピストンであって、上記ピストンとシリンダの一方が他方に対して相対的に第１の方向に移動すると上記液体燃料が上記シリンダに送り込まれ、上記ピストンとシリンダの一方が他方に対して相対的に逆の第２の方向に移動すると上記液体燃料が上記シリンダから送り出されるピストンと、
上記液体燃料が上記貯蔵部から上記シリンダに送り込まれることを許可する入口バルブと、
上記液体燃料が上記シリンダから上記バーナーヘッドに送り出されることを許可する出口バルブと、
移動可能な質量であって、自重によって上記シリンダに対する上記ピストンの移動を生じさせるために十分な力を加え、それにより上記液体燃料を上記シリンダから上記バーナーヘッドに送る質量、を備えた液体燃料燃焼装置。
【請求項２】
上記入口バルブが上記液体燃料を上記シリンダに送り込む一方向弁であり、上記出口バルブが上記液体燃料を上記シリンダから送り出す一方向弁である、請求項１の液体燃料装置。
【請求項３】
上記ピストンは、上記液体燃料を上記シリンダに送り込む上昇位置と上記液体燃料を上記シリンダから送り出す下降位置に向けて上記シリンダ内を移動できる、請求項２の液体燃料燃焼装置。
【請求項４】
上記ピストンはピストンチューブを介して上記バーナーヘッドに取り付けられており、上記ピストンは上記シリンダと上記ピストンチューブを流体が流れるように連結する開口部を形成している、請求項３の液体燃料燃焼装置。
【請求項５】
上記シリンダに対する上記ピストンの移動に可変抵抗を加える制御機構を有する、請求項１〜４のいずれかの液体燃料燃焼装置。
【請求項６】
上記制御機構は、上記ピストンチューブの移動に可変抵抗を加える調節ねじを有する、請求項５の液体燃料燃焼装置。
【請求項７】
上記ピストンチューブはブッシュを通過するように配置されており、上記調節ねじは上記ピストンチューブに係合可能に上記ブッシュにねじ込まれている、請求項６の液体燃料燃焼装置。
【請求項８】
上記シリンダは上記液体燃料貯蔵部内に配置されている、請求項１〜７のいずれかの液体燃料燃焼装置。
【請求項９】
上記シリンダは、上記入口バルブとフィルタを介して上記貯蔵部に連通している、請求項８の液体燃料燃焼装置。
【請求項１０】
上記入口バルブと上記出口バルブはそれぞれバルブ閉鎖部材を有し、
上記バルブ閉鎖部材は、通常運転時、上記バルブ閉鎖部材がバルブシートに対して開放位置と閉鎖位置の間を移動可能であり、
上記開放位置で、上記バルブ閉鎖部材は上記バルブシートから離間しており、上記バルブを通る上記液体燃料の一方向の流れを許可し、
上記閉鎖位置で、上記バルブ閉鎖部材は、上記バルブシートに係合し、上記バルブを通る上記液体燃料の流れを阻止する、請求項１〜９の液体燃料燃焼装置。
【請求項１１】
各バルブに対して、上記液体燃料燃焼装置が傾いて上記バルブを通じて上記液体燃料が上記液体燃料の通常の流れ方向である上記一方向とは反対の方向に流れると、上記バルブ閉鎖部材は上記バルブシートに対して移動可能である、請求項１０の液体燃料燃焼装置。
【請求項１２】
上記ピストンが上記燃焼装置のフレームに対して固定されており、上記シリンダが上記燃焼装置フレームに対して移動可能である、請求項１の液体燃料燃焼装置。
【請求項１３】
上記移動可能な質量が上記シリンダの一部を形成するか又は上記シリンダに取り付けられており、上記ピストンは上記液体燃料が上記シリンダに送り込まれるか又は上記シリンダから送り出されることを許可するポートを有する、請求項１２の液体燃料燃焼装置。
【請求項１４】
上記燃焼装置は、管状部材で形成されたフレームを有し、上記貯蔵部は上記管状部材の少なくとも一部で形成されている、請求項１２又は１３の液体燃料燃焼装置。
【請求項１５】
上記フレームは側部に沿って曲がられており、上記燃焼装置は該燃焼装置が側方に傾いたときに、上記フレームを自己修正する安定質量を有する、請求項１４の液体燃料燃焼装置。
【請求項１６】
上記安定質量は、移動可能な質量である、請求項１５の液体燃料燃焼装置。
【請求項１７】
上記燃焼装置は、上記バーナーヘッドへの液体燃料の送りと上記バーナーヘッドにおける火炎の強さを調節するために、バルブからなるレギュレータを有する、請求項１２〜１６のいずれかの液体燃料燃焼装置。
【請求項１８】
上記燃焼装置は、上記バーナーヘッドの圧力が予め決められた大きさを下回ったときに上記バーナーヘッドに対する液体燃料の流れを阻止し、上記バーナーヘッドの圧力が予め決められた値を上回ったときに上記バーナーヘッドから上記シリンダへの液体燃料の背圧移動を阻止するためのデュエル型遮断装置を有する、請求項１〜１７のいずれかの液体燃料燃焼装置。
【請求項１９】
貯蔵部から液体燃料燃焼装置のバーナーヘッドに液体燃料を送るためのポンプであって、上記ポンプは、
シリンダと、
ピストンであって、上記ピストン又は上記シリンダの一方が他方に対して第１の方向に移動したときに上記シリンダに上記液体燃料が送り込まれ、上記ピストン又は上記シリンダの一方が他方に対して反対の第２の方向に移動したときに上記シリンダから上記液体燃料送り出されるように上記シリンダに対して移動可能なピストンと、
上記貯蔵部から上記シリンダに上記液体燃料が送り込まれることを許可する入口バルブと、
上記シリンダから上記バーナーヘッドに上記液体燃料が送り込まれることを許可する出口バルブと、
移動可能な質量であって、自重によって上記シリンダに対する上記ピストンの移動を生じさせるために十分な力を加え、それにより上記液体燃料を上記シリンダから上記バーナーヘッドに送る質量、を備えたポンプ。
【請求項２０】
上記入口バルブと上記出口バルブはそれぞれ、一方向バルブを有する、請求項１９のポンプ。
【発明の詳細な説明】
【技術分野】
【０００１】
本発明は、燃焼装置（バーナー）に関し、特に、例えばストーブ、湯沸かし器、ヒーターなどの器具に利用される液体燃料燃焼装置に関する。また、本発明は、液体燃料バーナーのバーナーヘッドに液体燃料を供給する装置に関する。
【背景技術】
【０００２】
種々の異なるタイプの液体燃料バーナーが知られている。これらの装置のいくつかでは、毛管現象によって液体燃料が芯に引き上げられてそこで燃焼される。また、その他の形態にあっては、液体燃料に空気圧が加えられて該液体燃料がバーナーヘッドに送られる。
【０００３】
このような液体燃料ストーブは電気式装置よりも好ましいものである。その理由は、電気が容易に利用できない場合があり、また電気式の装置は運転コストが比較的高いからである。しかし、公知の液体燃料バーナーの多くは、比較的、安全性に問題があり、あまり効率的でない。
【０００４】
本発明の目的は、安全で効率的な新たな液体燃料燃焼装置を提供することである。
【０００５】
さらに、本発明の他の目的は、比較的使用し易い液体燃料燃焼装置を提供することである。
【発明の開示】
【０００６】
本発明によれば、
バーナーヘッドと、
液体燃料を貯蔵する液体燃料貯蔵部と、
上記貯蔵部から上記液体燃料を上記バーナーヘッドに送るポンプを有し、
上記ポンプが、
シリンダと、
上記シリンダに対して移動可能なピストンであって、上記ピストンとシリンダの一方が他方に対して相対的に第１の方向に移動すると上記液体燃料が上記シリンダに送り込まれ、上記ピストンとシリンダの一方が他方に対して相対的に逆の第２の方向に移動すると上記液体燃料が上記シリンダから送り出されるピストンと、
上記液体燃料が上記貯蔵部から上記シリンダに送り込まれることを許可する入口バルブと、
上記液体燃料が上記シリンダから上記バーナーヘッドに送り出されることを許可する出口バルブと、
移動可能な質量であって、自重によって上記シリンダに対する上記ピストンの移動を生じさせるために十分な力を加え、それにより上記液体燃料を上記シリンダから上記バーナーヘッドに送る質量、を備えた液体燃料燃焼装置が提供される。
【０００７】
好ましくは、上記入口バルブが上記液体燃料を上記シリンダに送り込む一方向弁であり、上記出口バルブが上記液体燃料を上記シリンダから送り出す一方向弁である。
【０００８】
本発明の一実施形態では、上記ピストンは、上記液体燃料を上記シリンダに送り込む上昇位置と上記液体燃料を上記シリンダから送り出す下降位置に向けて上記シリンダ内を移動できる。
【０００９】
この実施形態では、上記ピストンはピストンチューブを介して上記バーナーヘッドに取り付けられており、上記ピストンは上記シリンダと上記ピストンチューブを流体が流れるように連結する開口部を形成している。
【００１０】
上記シリンダに対する上記ピストンの移動速度、及び上記液体燃料が上記シリンダから送り出される速度は、上記シリンダに対する上記ピストンの移動に可変抵抗を加える制御機構によって調節される。
【００１１】
上記制御機構は、上記ピストンチューブの移動に可変抵抗を加える調節ねじを有する。
【００１２】
発明の一形態では、上記ピストンチューブはブッシュを通過するように配置されており、上記調節ねじは上記ピストンチューブに係合可能に上記ブッシュにねじ込まれている。
【００１３】
上記シリンダは上記液体燃料貯蔵部内に配置されている。この場合、上記シリンダは、上記入口バルブとフィルタを介して上記貯蔵部に連通している。
【００１４】
本発明の一実施形態において、上記入口バルブと上記出口バルブはそれぞれバルブ閉鎖部材を有し、
上記バルブ閉鎖部材は、通常運転時、上記バルブ閉鎖部材がバルブシートに対して開放位置と閉鎖位置の間を移動可能であり、
上記開放位置で、上記バルブ閉鎖部材は上記バルブシートから離間しており、上記バルブを通る上記液体燃料の一方向の流れを許可し、
上記閉鎖位置で、上記バルブ閉鎖部材は、上記バルブシートに係合し、上記バルブを通る上記液体燃料の流れを阻止する。この実施形態では、各バルブに対して、上記液体燃料燃焼装置が傾いて上記バルブを通じて上記液体燃料が上記液体燃料の通常の流れ方向である上記一方向とは反対の方向に流れると、上記バルブ閉鎖部材は上記バルブシートに対して移動可能である。
【００１５】
本発明の他の実施形態において、上記ピストンが上記燃焼装置のフレームに対して固定されており、上記シリンダが上記燃焼装置フレームに対して移動可能である。この実施形態において、上記移動可能な質量が上記シリンダの一部を形成するか又は上記シリンダに取り付けられており、上記ピストンは上記液体燃料が上記シリンダに送り込まれるか又は上記シリンダから送り出されることを許可するポートを有する。
【００１６】
上記燃焼装置は、管状部材で形成されたフレームを有し、上記貯蔵部は上記管状部材の少なくとも一部で形成されている。
【００１７】
一つの構成において、上記フレームは側部に沿って曲がられており、上記燃焼装置は該燃焼装置が側方に傾いたときに、上記フレームを自己修正する安定質量を有する。
【００１８】
上記安定質量は、移動可能な質量である。
【００１９】
上記燃焼装置は、上記バーナーヘッドへの液体燃料の送りと上記バーナーヘッドにおける火炎の強さを調節するために、バルブからなるレギュレータを有する。
【００２０】
本発明の一実施形態において、上記燃焼装置は、上記バーナーヘッドの圧力が予め決められた大きさを下回ったときに上記バーナーヘッドに対する液体燃料の流れを阻止し、上記バーナーヘッドの圧力が予め決められた値を上回ったときに上記バーナーヘッドから上記シリンダへの液体燃料の背圧移動を阻止するためのデュエル型遮断装置を有する。
【００２１】
本発明は、貯蔵部から液体燃料燃焼装置のバーナーヘッドに液体燃料を送るためのポンプであって、上記ポンプは、
シリンダと、
ピストンであって、上記ピストン又は上記シリンダの一方が他方に対して第１の方向に移動したときに上記シリンダに上記液体燃料が送り込まれ、上記ピストン又は上記シリンダの一方が他方に対して反対の第２の方向に移動したときに上記シリンダから上記液体燃料送り出されるように上記シリンダに対して移動可能なピストンと、
上記貯蔵部から上記シリンダに上記液体燃料が送り込まれることを許可する入口バルブと、
上記シリンダから上記バーナーヘッドに上記液体燃料が送り込まれることを許可する出口バルブと、
移動可能な質量であって、自重によって上記シリンダに対する上記ピストンの移動を生じさせるために十分な力を加え、それにより上記液体燃料を上記シリンダから上記バーナーヘッドに送る質量、を備えたポンプである。
【００２２】
上記入口バルブと上記出口バルブはそれぞれ、一方向バルブを有する。
【発明を実施するための最良の形態】
【００２３】
添付図面の図１および図２は、本発明の一実施形態に係る液体燃料燃焼装置（バーナー）を示す。本実施形態において、液体燃料バーナーは、石油（パラフィン）ストーブ１０である。石油ストーブ１０は、フレーム１２、このフレームに取り付けられたバーナーヘッド１４、石油を収容するための貯蔵部１６、および貯蔵部１６からバーナーヘッド１４へ石油を送り込むためのポンプ１８を有する。
【００２４】
図１と図２に示されるように、フレーム１２は、フレームのベース部２２に相互に結合された４つの脚２０を含む。脚２０は、例えば、管状のスチール部材などの管状の材料から形成されており、これにより、空洞脚２０の内部に貯蔵部１６が形成されている。貯蔵部１６にアクセスできるように、取り外し可能なキャップ２４が設けられている。図に示すように、図示しない鍋や平鍋などを支持するために、脚２０の上端が料理用容器支持部２６に連結されている。一般的に、支持部２６は、外側リング２８と、内側リング３０と、外側リングと内側リングとに跨って伸びる４つの放射状の肢部（リム）３２を有する。
【００２５】
特に図２を参照すると、ポンプ１８は、互いに相対的に移動可能なシリンダ３４とピストン３６を有する。本発明の本実施形態において、ピストン３６はフレーム１２に固定されており、シリンダ３４は図２の矢印ＡおよびＢの方向にフレームに対して相対的に移動可能である。ピストン３６は、第１ポート３８と、貯蔵部１６内の石油をシリンダ３４内へ引き込むための入口バルブ４０と、第２ポート４２と、シリンダ３４からバーナーヘッド１４へ石油を送り出すための出口バルブ４４を有する。燃料ライン４５は出口バルブ４４からバーナーヘッド１４へ伸びており、燃料ライン４５上のバルブ４６で構成された調節器（レギュレータ）がバーナーヘッド１４への石油の供給を調整し、それによりバーナーヘッドでの火炎の強さを調整できるようにしてある。
【００２６】
ポンプ１８は、シリンダ３４とピストン３６との間に、弾性Ｏリングからなるシール部材を有する。ポンプ１８はまた、図示のように、シリンダ３４の周囲に沿って伸びるリング５０で構成された質量（重り）を有する。リング５０は、矢印Ｂの方向にシリンダ３４を移動させるために十分な重量を有し、これにより、圧力下に基づいてシリンダ３４内の石油をバーナーヘッド１４へ送り出すようにしてある。
【００２７】
ストーブ１０はまた、バーナーヘッド１４へ向かう石油の流れ又はバーナーヘッドから戻る石油の流れを制御するためのデュエル型（duel）遮断装置５２を有する。図２に示すように、デュエル型遮断装置５２は部屋（チャンバ）５６の中を上側弁座（バルブシート）５８と下側弁座（バルブシート）６０との間で移動可能なボール５４を含む。
【００２８】
実際には、取り外し可能なキャップ２４の１つを取り外して貯蔵部内へ石油を注ぐことにより、貯蔵部１６に石油で充填される。その後、取り外し可能なキャップ２４を元の位置に戻し、シリンダ３４を図２に示す位置に向けて矢印Ａ方向に手動で移動させる。シリンダ３４が上方へ移動すると、石油がポート３８と入口バルブ４０を通ってシリンダ内へ引き込まれる。シリンダ３４が図２の位置にあるとき、石油をバーナーヘッド１４へ流すために調節器４６が開かれる。その後、シリンダ３４を解放し、リング５０が、その自重によってシリンダに力を加えて、シリンダを矢印Ｂ方向へ移動させる。シリンダ３４が下方へ移動する際、シリンダがシリンダ内の石油に圧力を加える。圧力が加えられた石油は、バーナーヘッド１４に向けて移動し、これにより燃料が燃焼し、支持部２６で熱エネルギーが供給される。調理中、調節器４６は、支持部２６に所望の熱エネルギーを供給するように調節され、調理が完了すると、調節器４６を閉じることにより、バーナーヘッド１４の火炎が消される。
【００２９】
安全機能を果たすデュエル型遮断装置５２は、従来から提供されているものでよい。例えば、遮断装置５２は、シリンダ３４が矢印Ｂ方向へ移動すると、石油がボール５４をシート６０から離れるように移動して石油がバーナーヘッド１４へ流れるように設計することができる。しかし、炎が突然消えてバーナーヘッドで圧力の低下が起こると、装置を閉じるように石油がボール５４をシート５８に向けて移動し、バーナーヘッド１４への石油の流れを妨げる。一方、バーナーヘッド１４の圧力が予め決められた大きさを超えて上昇すると、ボール５４がシート６０に向けて移動し、シリンダ３４へ戻る石油の流れを妨げる。
【００３０】
リング５０は、ストーブ１０の重心の下側に位置するように配置され、これにより、ストーブ１０が誤って片側に傾いた場合、リング５０の重量によってストーブは自動的に元の状態に戻る。あるいは、ストーブが自動的に元の状態に戻るように、ピストン３４内またはフレーム１２のどこか別の所へ別の重りを設けてもよい。
【００３１】
ストーブはまた、比較的容易にストーブを運搬できるようにするとともに、料理用容器支持部２６の方へストーブが傾くのを防止するために、脚２０から上方へ伸びる曲げられたハンドル（図示せず）を含んでもよい。
【００３２】
他の構成として、ストーブ１０は、フレーム１２から離れた石油貯蔵部、および／または、例えばレバーシステムまたは滑車システムなど、シリンダまたはピストンを動作位置へ上昇させるための機構を設けてもよい。
【００３３】
シリンダ３４に力を加えて該シリンダを矢印Ｂ方向に移動させる質量（重り）５０は、シリンダと一体であってもよいし、シリンダに取り付けてもよい。代わりに、質量５０は、１つ又はそれより多くのプーリー、レバーなどを経由してシリンダに力を加えるように配置してもよい。さらに、液体燃料バーナーは、ピストン３６がフレーム１２に固定され、シリンダ３４がフレームに対して移動可能なピストン・シリンダ構造を用いて液体燃料バーナーを説明したが、液体燃料バーナーはフレームに固定されたシリンダと移動可能なピストンを有するものであってもよい。
【００３４】
添付図面の図３〜図６は、本発明に係る液体燃料バーナーの別の実施形態を示す。上述の実施形態と同様、液体燃料バーナーは、フレーム１１２、バーナーヘッド１１４、貯蔵部１１６、および、貯蔵部１１６からバーナーヘッド１１４へ石油を送り込むためのポンプ１１８を含む石油ストーブ１１０で構成されている。
【００３５】
フレーム１１２は、ベース部１２２により下端部で相互に連結された４つの脚１２０を有する。脚１２０は、例えば、管状のスチール部材などの管状の材料から形成されており、一対の脚１２０が、管状のフレーム部材１２４により別の一対の脚に連結されている。フレーム１１２はまた、ポットや平鍋など（図示せず）をバーナー１１４の近傍で支持する料理用容器支持部１２６を有する。支持部１２６は、図示するように、典型的には、外側リング１２８と、外側リングから内方へ伸びる４つのリム１３０とを含む。本発明の本実施形態において、支持部１２６は、脚１２０に対して垂直方向に相対移動可能であり、相対移動中に脚１２０と係合するガイド１３２を有する。
【００３６】
図４〜図６を参照すると、貯蔵部１１６は略円筒状の容器１３４を有する。容器１３４は、該容器に石油を充填するための開口部１３６と、開口部１３６を閉鎖する閉鎖部材１３８を有する。ポンプ１１８は、少なくとも部分的に貯蔵部１１６に沈められたシリンダ１４０と、シリンダ１４０に対して相対移動可能なピストン１４２とを有する。ピストン１４２は、ピストンとシリンダ１４０との間をシールするための弾性Ｏリング（図示せず）で構成されたシール部材を有する。図４〜図６に明らかに示されるように、ポンプ１１８は、貯蔵部１１６内の石油がシリンダ１４０に入ることができるようにするための一方向バルブ１４４と、石油がシリンダから出ることができるようにするための一方向バルブ１４６とを含む。一方向バルブ１４４は、中央開口部１５８が形成された皿部１５０上に着座するように配置されたボール１４８を含む。同様に、一方向バルブ１４６は、ボール１５４と、中央開口部１５８を有する皿部１５６とを有する。図に示すように、シリンダ１４０は、一方向バルブ１４６とフィルタ１６０を介して貯蔵部１１６に連通している。本発明の本実施形態において、ピストン１４２は、一方向バルブ１４６を有するピストンチューブ１６２によりバーナー１１４に接続されており、ストーブ１１０は、シリンダ１４０に対するピストン１４２の相対移動に対する可変抵抗を加えるための調節ねじ１６４を含む。調節ねじ１６４は、ピストンチューブ１６２が貫通して伸びるブッシュ１６６の内部に配置されている。図４〜図６に示されるように、シリンダ１４０は、ピストン１４２内のポート１６８を介してピストンチューブ１６２に連通している。
【００３７】
実際には、閉鎖部材１３８を取り外して、石油を貯蔵部に注ぐことにより、貯蔵部１１６に石油が充填される。その後、閉鎖部材１３８が元の位置に戻され、ピストン１４２が、図５に示す上昇状態へシリンダ１４０に対して相対的に手動により移動される。ピストン１４２がシリンダ１４０に沿って上方へ移動すると、ピストンはバルブ１４４のボール１４８を開放状態に持ち上げ、それにより石油はフィルタ１６０と一方向バルブ１４４を通ってシリンダ１４０へ引き込まれる。ピストン１４２が上昇位置にあるとき、ボール１４８は皿部１５０上に着座してバルブ１４４を閉じる。したがって、次にシリンダ１４０に対してピストン１４２が下方へ相対移動すると、シリンダ内の石油がポート１６８を通ってピストンチューブ１６２へ押し出される。ピストン１４２、ピストンチューブ１６２およびバーナー１１４は、調節ねじ１６４がピストンチューブ１６２から解放されたときシリンダ１４０に対してピストン１４２が下方へ相対移動するのに十分な重量を有するように設計されている。したがって、支持部１２６上にポットなどがなくても、ピストン１４２は、ピストンチューブ１６２へ石油を押し出すようにシリンダ１４０内を下方へスライドできる。ポットなどが支持部１２６上にあるとき、調節ねじは、ピストンチューブ１６２を通る石油の所望の流れを達成するように、必要に応じて調節される。
【００３８】
石油がピストンチューブ１６２を通って流れると、石油は、一方向バルブ１４６を開き、バーナーヘッド１４へ流れて、燃焼を促進し、支持部１２６に熱エネルギーを供給する。調理中、ねじ１６４を調節して支持部１２６に所望の熱エネルギーを供給する。調理が終了すると、バーナーヘッド１４の火炎は、調節ねじ１６４を用いて、シリンダ１４０に対してピストン１４２を相対的にロックすることにより消される。
【００３９】
図６において、例えば偶然にストーブが傾くなどして、バーナーが一方へ傾いている。図示するように、ストーブが傾くと、バルブ１４４のボール１４８が回転して皿部１５０の開口部１５２から離間する。その結果、石油は貯蔵部１１６に送り戻され、バーナーヘッド１１４への石油の流れが阻止されてバーナーヘッドが消火する。
【００４０】
図７〜図９は、本発明の他の実施形態に係るストーブを示す。この実施形態において、ストーブは、一方向バルブ２４４，２４６の構成を除く全ての点でストーブ１１０と同様である。したがって、バルブ２４４，２４６以外のストーブの構成部材の詳細な説明は、発明の本実施形態を完全に理解するために必要ではない。しかしながら、概略、ストーブは、貯蔵部２１６、シリンダ２４０、ピストン２４２、ピストンチューブ２６２、およびピストンチューブに接続されたバーナーヘッド２１４を含む。一方向バルブ２４４によって石油がシリンダ２４０へ入り、一方向バルブ２４６によって石油がシリンダ２４０から出ることができる。図３〜図６に示す実施形態と同様、ストーブは、貯蔵部２１６とシリンダ２４０との間のフィルタ２６０と、バーナーヘッド２１４での燃焼の強さを調節するための調節ねじ２６４を有する。
【００４１】
特に図７を参照すると、一方向バルブ２４４は、加重型バルブステム（弁軸）２４８と、バルブステムを受けるためのバルブシート（弁座）２５０を有する。同様に、バルブ２４６は、加重型バルブステム２５２と、バルブシート２５４を有する。ピストン２４２が図８に示す上昇状態までシリンダ２４０に対して相対移動すると、バルブステム２４８は、バルブシート２５０から離れるように引き上げられ、石油がシリンダ２４０内へ引き込まれる。ピストン２４２が上昇状態になると、バルブステム２４８はバルブシート２５０上に着座し、これにより、石油が貯蔵部２１６へ逆流するのを防止する。ピストン２４２が、シリンダ２４０に対して下方へ相対移動すると、石油はピストンを通ってピストンチューブ２６２に放出され、これにより、一方向バルブ２４６が開いて石油はバーナーヘッド２１４へ流れる。バーナーヘッド２１４の必要な燃焼量は、ねじ２６４を調節することにより達成される。図３〜図６に示す実施形態と同様に、ストーブが偶然一方へ傾くと、加重型バルブステム２４８，２５２が傾いてバルブシート２５０，２５４から離れ、石油が貯蔵部２１６へ戻すことができる。
【００４２】
液体燃料バーナーは、バーナーの種々の部品を隠すように設計されたハウジング（図示せず）に収容される。
【００４３】
当然のことながら、図３〜図９に示す両実施形態は、図面の図２に関する上述の装置５２と同様のデュエル型遮断装置からなる安全装置を含む。
【００４４】
本発明は、別タイプのストーブに関して上記のように説明されているが、当然のことながら、液体燃料バーナーは、例えば、湯沸かし器、かまど又はヒーター等の種々の他の適用において熱を供給するために使用してもよい。
【図面の簡単な説明】
【００４５】
【図１】本発明の一実施形態に係る液体燃料燃焼装置の斜視図。
【図２】図１に示す燃焼装置の部分的な断面図。
【図３】本発明の別の実施形態に係る液体燃料燃焼装置の斜視図。
【図４】図面を簡略化するためにフレームを除き、バーナーヘッドが下降状態にある、図３の燃焼装置の断面図。
【図５】バーナーヘッドが上昇位置にあって傾いた状態にある、図４と同様の断面図。
【図６】バーナーヘッドが上昇位置にあって傾いた状態にある、図４と同様の断面図。
【図７】バーナーヘッドが下降位置にある、本発明の他の実施形態に係る液体燃料燃焼装置の部分断面図。
【図８】バーナーヘッドが上昇位置にあって傾斜状態にある、図７と同様の断面図。
【符号の説明】
【００４６】
１０：ストーブ、１２：フレーム、１４：バーナーヘッド、１６：貯蔵部、２０：空洞脚、２２：ベース部、２４：キャップ、２６：支持部、２８：外側リング、３０：内側リング、３２：肢部（リム）、３４：シリンダ、３６：ピストン、３８：第１ポート、４０：入口バルブ、４４：出口バルブ、４５：燃料ライン、４６：調節器、５０：質量、５２：遮断装置、５４：ボール、５６：部屋（チャンバ）、５８：上側弁座（バルブシート）、６０：下側弁座（バルブシート）、１１０：ストーブ、１１２：フレーム、１１４：バーナーヘッド、１１６：貯蔵部、１１８：ポンプ、１２０：脚、１２２：ベース部、１２４：フレーム部材、１２６：支持部、１２８：外側リング、１３０：リム、１３２：ガイド、１３４：容器、１３６：開口部、１３８：閉鎖部材、１４０：シリンダ、１４２：ピストン、１４４：入口バルブ（一方向バルブ）、１４６：出口バルブ（一方向バルブ）、１４８：ボール、１５０：皿部、１５２：開口部、１５４：ボール、１５６：皿部、１５８：開口部、１６０：フィルタ、１６２：ピストンチューブ、１６４：調節ねじ、１６６：ブッシュ、１６８：ポート、２１４：バーナーヘッド、２１６：貯蔵部、２４０：シリンダ、２４２：ピストン、２４４，２４６：一方向バルブ、２４８，２５２：加重型バルブステム（弁軸）、２５０，２５４：バルブシート（弁座）、２６０：フィルタ、２６２：ピストンチューブ、２６４：調節ねじ。
【図１】
2008519240.tif 000003
【図２】
2008519240.tif 000004
【図３】
2008519240.tif 000005
【図４】
2008519240.tif 000006
【図５】
2008519240.tif 000007
【図６】
2008519240.tif 000008
【図７】
2008519240.tif 000009
【図８】
2008519240.tif 000010
【図９】
2008519240.tif 000011
【手続補正書】
【提出日】平成18年5月5日(2006.5.5)
【手続補正１】
【補正対象書類名】特許請求の範囲
【補正対象項目名】全文
【補正方法】変更
【補正の内容】
【特許請求の範囲】
【請求項１】
バーナーヘッドと、
液体燃料を貯蔵する液体燃料貯蔵部と、
上記貯蔵部から上記液体燃料を上記バーナーヘッドに送るポンプを有し、
上記ポンプが、
シリンダと、
上記シリンダに対して移動可能なピストンであって、上記ピストンとシリンダの一方が他方に対して相対的に第１の方向に移動すると上記液体燃料が上記シリンダに送り込まれ、上記ピストンとシリンダの一方が他方に対して相対的に逆の第２の方向に移動すると上記液体燃料が上記シリンダから送り出されるピストンと、
上記液体燃料が上記貯蔵部から上記シリンダに送り込まれることを許可する一方向の入口バルブと、
上記液体燃料が上記シリンダから上記バーナーヘッドに送り出されることを許可する一方向の出口バルブと、
移動可能な質量であって、自重によって上記シリンダに対する上記ピストンの移動を生じさせるために十分な力を加え、それにより圧力下において上記液体燃料を上記シリンダから上記バーナーヘッドに送る質量と、
上記シリンダに対する上記ピストンの移動に可変抵抗を加え、上記バーナーヘッドに対する加圧された液体燃料の供給を調整できるようにする制御機構、を備えた液体燃料燃焼装置。
【請求項２】
上記ピストンは、上記液体燃料を上記シリンダに送り込む上昇位置と上記液体燃料を上記シリンダから送り出す下降位置に向けて上記シリンダ内を移動できる、請求項１の液体燃料燃焼装置。
【請求項３】
上記ピストンはピストンチューブを介して上記バーナーヘッドに取り付けられており、上記ピストンは上記シリンダと上記ピストンチューブを流体が流れるように連結する開口部を形成している、請求項２の液体燃料燃焼装置。
【請求項４】
上記制御機構は、上記ピストンチューブの移動に可変抵抗を加える調節ねじを有する、請求項３の液体燃料燃焼装置。
【請求項５】
上記ピストンチューブはブッシュを通過するように配置されており、上記調節ねじは上記ピストンチューブに係合可能に上記ブッシュにねじ込まれている、請求項４の液体燃料燃焼装置。
【請求項６】
上記シリンダは上記液体燃料貯蔵部内に配置されている、請求項１〜５のいずれかの液体燃料燃焼装置。
【請求項７】
上記シリンダは、上記入口バルブとフィルタを介して上記貯蔵部に連通している、請求項６の液体燃料燃焼装置。
【請求項８】
上記入口バルブと上記出口バルブはそれぞれバルブ閉鎖部材を有し、
上記バルブ閉鎖部材は、通常運転時、上記バルブ閉鎖部材がバルブシートに対して開放位置と閉鎖位置の間を移動可能であり、
上記開放位置で、上記バルブ閉鎖部材は上記バルブシートから離間しており、上記バルブを通る上記液体燃料の一方向の流れを許可し、
上記閉鎖位置で、上記バルブ閉鎖部材は、上記バルブシートに係合し、上記バルブを通る上記液体燃料の流れを阻止する、請求項１〜９の液体燃料燃焼装置。
【請求項９】
各バルブに対して、上記液体燃料燃焼装置が傾いて上記バルブを通じて上記液体燃料が上記液体燃料の通常の流れ方向である上記一方向とは反対の方向に流れると、上記バルブ閉鎖部材は上記バルブシートに対して移動可能である、請求項８の液体燃料燃焼装置。
【請求項１０】
上記ピストンが上記燃焼装置のフレームに対して固定されており、上記シリンダが上記燃焼装置フレームに対して移動可能である、請求項１の液体燃料燃焼装置。
【請求項１１】
上記移動可能な質量が上記シリンダの一部を形成するか又は上記シリンダに取り付けられており、上記ピストンは上記液体燃料が上記シリンダに送り込まれるか又は上記シリンダから送り出されることを許可するポートを有する、請求項１０の液体燃料燃焼装置。
【請求項１２】
上記燃焼装置は、管状部材で形成されたフレームを有し、上記貯蔵部は上記管状部材の少なくとも一部で形成されている、請求項１０又は１１の液体燃料燃焼装置。
【請求項１３】
上記フレームは側部に沿って曲がられており、上記燃焼装置は該燃焼装置が側方に傾いたときに、上記フレームを自己修正する安定質量を有する、請求項１２の液体燃料燃焼装置。
【請求項１４】
上記安定質量は、移動可能な質量である、請求項１３の液体燃料燃焼装置。
【請求項１５】
上記制御機構は、上記バーナーヘッドへの液体燃料の送りと上記バーナーヘッドにおける火炎の強さを調節するためのバルブを有する、請求項１０〜１４のいずれかの液体燃料燃焼装置。
【請求項１６】
上記燃焼装置は、上記バーナーヘッドの圧力が予め決められた大きさを下回ったときに上記バーナーヘッドに対する液体燃料の流れを阻止し、上記バーナーヘッドの圧力が予め決められた値を上回ったときに上記バーナーヘッドから上記シリンダへの液体燃料の背圧移動を阻止するためのデュエル型遮断装置を有する、請求項１〜１５のいずれかの液体燃料燃焼装置。
【請求項１７】
貯蔵部から液体燃料燃焼装置のバーナーヘッドに液体燃料を送るためのポンプであって、上記ポンプは、
シリンダと、
ピストンであって、上記ピストン又は上記シリンダの一方が他方に対して第１の方向に移動したときに上記シリンダに上記液体燃料が送り込まれ、上記ピストン又は上記シリンダの一方が他方に対して反対の第２の方向に移動したときに上記シリンダから上記液体燃料送り出されるように上記シリンダに対して移動可能なピストンと、
上記貯蔵部から上記シリンダに上記液体燃料が送り込まれることを許可する一方向の入口バルブと、
上記シリンダから上記バーナーヘッドに上記液体燃料が送り込まれることを許可する一方向の出口バルブと、
移動可能な質量であって、自重によって上記シリンダに対する上記ピストンの移動を生じさせるために十分な力を加え、それにより圧力下において上記液体燃料を上記シリンダから上記バーナーヘッドに送る質量と、
上記シリンダに対する上記ピストンの移動に可変抵抗を加え、上記バーナーヘッドに対る加圧された液体燃料の供給を調整できるようにする制御機構、を備えたポンプ。
【国際調査報告】
2008519240.tif 000012
2008519240.tif 000013